(57)【要約】【課題】工具を用いずに簡易にファンと回転軸を容易に且つ確実に着脱することができるファン装置を提供する。【解決手段】本発明のファン装置１は、周面に沿って係止溝１０ｆが形成された回転軸１０と、この回転軸に取り外し可能に取り付けられたファン８と、このファンに設けられ回転軸を着脱可能に保持する回転軸着脱装置１２と、を有し、この回転軸着脱装置は、その一端部が固定された固定端部１８ａと、この固定端部から延びて回転軸の係止溝に係合可能な係合部１８ｄと、その他端部が回転軸に向けて押圧可能な押圧部１８ｆと、を含む操作レバー部材１８を備え、この操作レバー部材の押圧部を押圧することにより、操作レバー部材の係合部と回転軸の係止溝との係合が解除されるように構成されていることを特徴とする。【選択図】図２
2010156253.tif 000002
【特許請求の範囲】
【請求項１】
室内を換気するファン装置であって、
周面に沿って係止溝が形成された回転軸と、
この回転軸に取り外し可能に取り付けられたファンと、
このファンに設けられ上記回転軸を着脱可能に保持する回転軸着脱装置と、を有し、
この回転軸着脱装置は、その一端部が固定された固定端部と、この固定端部から延びて上記回転軸の係止溝に係合可能な係合部と、その他端部が上記回転軸に向けて押圧可能な押圧部と、を含む操作レバー部材を備え、この操作レバー部材の押圧部を押圧することにより、上記操作レバー部材の係合部と上記回転軸の係止溝との係合が解除されるように構成されていることを特徴とするファン装置。
【請求項２】
上記操作レバー部材は、上記固定端部と上記係合部とを含み且つ上記係合部が上記回転軸に所定の付勢力で付勢される付勢アーム部と、この付勢アーム部の係合部から上記回転軸を取り囲むように屈曲して上記付勢アーム部に対してほぼ直角方向に延びると共にその先端部が上記押圧部を形成する押圧アーム部と、を備えている請求項１記載のファン装置。
【請求項３】
上記回転軸は、上記係止溝に隣接した基端部からその先端部にかけて先細り形状に形成された先細り部を備えている請求項１又は２に記載のファン装置。
【請求項４】
上記回転軸は、その先細り部の基端部から上記係止溝に向かって遷移する部分がその半径方向内側に窄まるようにテーパ状に形成された係止溝テーパ部を備えている請求項３記載のファン装置。
【発明の詳細な説明】
【技術分野】
【０００１】
本発明は、室内を換気するファン装置に関する。
【背景技術】
【０００２】
従来から、ファンとこれを回転させる回転軸を備えたファン装置としては、システムキッチンの加熱調理器の上方に設置される、いわゆるレンジフードと呼ばれる換気装置に組み込まれ、加熱調理器を使用中に発生する煙や臭いを戸外に排出し室内を換気するものや、集合住宅や一般家屋等の天井に取り付けられる換気装置に組み込まれているものがある。このようなファン装置においては、使用中に排気による汚れがファンや回転軸に付着したりするが、これらを放置するとファンの換気性能が低下したり、環境衛生上にも好ましくない。したがって、使用頻度に応じて、適当な時期にファン装置からファンを取り外してクリーニングを行う等、定期的なメンテナンスを行わなければならない。
そこで、ファンのクリーニング等のメンテナンスを行う上で、いかに簡易に且つ安全にファン装置からファンを着脱するかについては、従来から要請された課題となっている。
このような課題を解決するために、従来のファン装置においては、例えば、特許文献１に記載されているように、ファンの回転軸を一対の保持部で保持し、この一対の保持部にほぼＵ字状に一体に設けられた押圧部を指先でつまむことにより、この一対の保持部の保持力を解除し、工具等を用いずに簡易にファンを回転軸から着脱するようにしたものが知られている。
【０００３】
【特許文献１】特許４１０１６００号公報
【発明の開示】
【発明が解決しようとする課題】
【０００４】
しかしながら、上述した従来のファン装置においては、ファンを回転軸から着脱する際に使用される押圧部は、指先でつまんで弾性変形をさせることができる程度に変形しやすく耐久性に乏しいものであるため、この押圧部にほぼＵ字型に一体に形成された一対の保持部についても耐久性に乏しく、高い保持力を発揮するには限界がある。したがって、ファン自体の高い換気性能が要求される大型で重量のあるファンを保持することが要求された場合には適用が難しいという問題がある。また、ファンの回転軸が一対の保持部によって保持されているため、これらの一対の保持部の一方でも不具合が生じた場合には使用ができなくなるため、故障のリスクが高いという問題がある。
【０００５】
そこで、本発明は、上述した従来技術の問題を解決するためになされたものであり、工具を用いずに簡易にファンと回転軸を容易に且つ確実に着脱することができるファン装置を提供することを目的としている。
【課題を解決するための手段】
【０００６】
上記の目的を達成するために、本発明は、室内を換気するファン装置であって、周面に沿って係止溝が形成された回転軸と、この回転軸に取り外し可能に取り付けられたファンと、このファンに設けられ上記回転軸を着脱可能に保持する回転軸着脱装置と、を有し、この回転軸着脱装置は、その一端部が固定された固定端部と、この固定端部から延びて上記回転軸の係止溝に係合可能な係合部と、その他端部が上記回転軸に向けて押圧可能な押圧部と、を含む操作レバー部材を備え、この操作レバー部材の押圧部を押圧することにより、上記操作レバー部材の係合部と上記回転軸の係止溝との係合が解除されるように構成されていることを特徴とするファン装置である。
このように構成された本発明においては、ファンを回転軸から取り外す際には、回転軸着脱装置の操作レバー部材の押圧部を回転軸に向けて押圧することにより、操作レバー部材の係合部と回転軸の係止溝との係合が解除されるため、工具を用いずに簡易にファンと回転軸とを容易に且つ確実に着脱することができる。一方、ファンを回転軸に取り付ける際には、回転軸の係止溝に操作レバー部材の係合部を係合させることにより、回転軸着脱装置の操作レバー部材と回転軸とが互いに係止され、ファンと回転軸とを確実に取り付けることができる。また、ファン装置の運転中にファンが回転軸から不用意に外れるのを防ぐことができる。
【０００７】
本発明において、好ましくは、操作レバー部材は、固定端部と係合部とを含み且つ係合部が回転軸に所定の付勢力で付勢される付勢アーム部と、この付勢アーム部の係合部から回転軸を取り囲むように屈曲して付勢アーム部に対してほぼ直角方向に延びると共にその先端部が押圧部を形成する押圧アーム部と、を備えている。
このように構成された本発明においては、ファンを回転軸から取り外す際には、回転軸着脱装置における操作レバー部材の押圧アーム部の押圧部を回転軸に向けて押圧し、この押圧アーム部が付勢アーム部の係合部を押圧する押圧力が、付勢アーム部の係合部が回転軸に付勢される付勢力を上回ると、この押圧力により、付勢アーム部が回転軸に対してほぼ垂直な平面内で弾性曲げを受けて、付勢アーム部においてその固定端部回りの弾性たわみが生じ、付勢アーム部の係合部が回転軸の係合溝から離れて、回転軸の係止溝との係合が解除される。この結果、工具を用いずに簡易にファンと回転軸とを容易に且つ確実に着脱することができる。一方、ファンを回転軸に取り付ける際には、回転軸の係止溝に操作レバー部材の付勢アーム部の係合部を係合させることにより、回転軸着脱装置の操作レバー部材と回転軸とが互いに係止され、ファンと回転軸とを確実に取り付けることができる。また、ファン装置の運転中にファンが回転軸から不用意に外れるのを防ぐことができる。
【０００８】
本発明において、好ましくは、回転軸は、係止溝に隣接した基端部からその先端部にかけて先細り形状に形成された先細り部を備えている。
このように構成された本発明においては、ファンを回転軸に取り付ける際、回転軸の先細り部により、回転軸着脱装置における操作レバー部材の付勢アーム部の係合部まで回転軸を挿入しやすくなり、回転軸の係止溝と操作レバー部材の付勢アーム部の係合部との係合もしやすくなる。また、ファンを回転軸から取り外す際には、操作レバー部材の押圧アーム部の押圧部を回転軸に向けて押圧し、操作レバー部材の付勢アーム部の係合部と回転軸の係止溝との係合を一旦解除するだけで、回転軸の先細り部からファンを取り出しやすくなる。これらの結果、工具を用いずに簡易にファンと回転軸とを容易に且つ確実に着脱することができる。
【０００９】
本発明において、好ましくは、回転軸は、その先細り部の基端部から係止溝に向かって遷移する部分がその半径方向内側に窄まるようにテーパ状に形成された係止溝テーパ部を備えている。
このように構成された本発明においては、ファンを回転軸に取り付ける際、回転軸の先細り部が回転軸着脱装置における操作レバー部材の付勢アーム部の係合部までに挿入され、この操作レバー部材の付勢アーム部の係合部が回転軸の先細り部の基端部を乗り越えると、回転軸の係止溝テーパ部により、操作レバー部材の付勢アーム部の係合部が先細り部の基端部から係止溝に向かって案内されてスムーズに移動するため、回転軸を操作レバー部材の付勢アーム部の係合部によって円滑且つ確実に係止することができる。一方、ファンを回転軸から取り外す際には、操作レバー部材の押圧アーム部の先端部を回転軸のほぼ中心方向に押圧するだけで、操作レバー部材の付勢アーム部の係合部が回転軸の係止溝から先細り部の基端部へスムーズに案内移動されて係止が解除されるため、ファンを回転軸から円滑に取り外すことができる。
【発明の効果】
【００１０】
本発明のファン装置によれば、工具を用いずに簡易にファンと回転軸を容易に且つ確実に着脱することができる。
【発明を実施するための最良の形態】
【００１１】
以下、添付図面を参照して本発明の実施形態によるファン装置を説明する。
図１は、本発明の実施形態のファン装置が組み込まれたレンジフードを備えたシステムキッチンを示す概略斜視図である。
図１に示すように、本実施形態のファン装置１は、キッチンルーム等に設置されるシステムキッチン２の加熱調理器４の上方に設置されたレンジフード６の内部に組み込まれており、加熱調理器４を使用中に作動させることにより、調理中に発生した煙や臭いをレンジフード６のフィルター（図示せず）等を介してレンジフード６内に取り込んで、室外に通ずるダクト（図示せず）等に排気するようになっている。
【００１２】
つぎに、図２は本実施形態のファン装置を分解して斜め下方から見た分解斜視図である。
図２に示すように、本実施形態のファン装置１は、ファン８と、このファン８を回転させる回転軸１０と、このファン８に設けられ且つ回転軸１０を着脱可能に保持する回転軸着脱装置１２とを有する。また、回転軸着脱装置１２は、ケーシング部材１４、固定部材１６、及び、操作レバー部材１８を備えている。
【００１３】
つぎに、図２〜図７を参照して、ファン８、回転軸１０、及び、回転軸着脱装置１２の詳細について詳細に説明する。
ここで、図３は本実施形態のファン装置における回転軸着脱装置を斜め下方から見た斜視図であり、図４は本実施形態のファン装置の回転軸着脱装置においてその内部が見えるようにケーシング部材の一部を水平方向に切った状態を下方から見た平面図であり、図５は本実施形態のファン装置における回転軸着脱装置を示す縦断面図である。また、図６は本実施形態のファン装置における回転軸着脱装置の操作レバー部材と回転軸の部分を拡大して斜め下方から見た拡大斜視図であり、図７は本実施形態のファン装置における回転軸着脱装置の操作レバー部材と回転軸の部分を拡大して水平方向から見た拡大図である。
また、図３〜図７のいずれにおいても、回転軸１０が回転軸着脱装置１２に完全に取り付けられた状態を示している。
【００１４】
図２〜図７に示すように、まず、ファン８は、例えば、一般的な送風機等に用いられるシロッコファン等が採用され、幅の狭い羽根８ａを円筒状に多数備え、これらの羽根８ａを回転させながら中心から空気を吸い込み、周囲へ排出するようになっている。
また、ファン８の上端部８ｂの中心部は、その軸方向下方に突出する突出部８ｃを備え、この突出部８ｃは、回転軸１０を軸方向に挿入可能とする回転軸挿入孔８ｄを形成している。
【００１５】
つぎに、回転軸１０は、円形の横断面を有する棒部材であり、レンジフード６内に設けられた駆動モータ（図示せず）に連結され、レンジフード６の電源が入力されると、駆動モータ（図示せず）が作動して回転軸１０が回転駆動されるようになっている。
また、回転軸１０は、その途中部分に半径方向外側に突出する一対の突出部１０ａを備えており、回転軸１０がファン８の回転軸挿入孔８ｄに挿入されると、回転軸１０の一対の突出部１０ａが、これらと対応するようにファン８の上端部８ｂの中心部上面に形成された一対の支持溝８ｅによって支持され、ファン８と回転軸１０との連結が行われるようになっている（特に、図５参照）。
【００１６】
さらに、ファン８の回転軸挿入孔８ｄに挿入された回転軸１０の下端部１０ｂは、回転軸着脱装置１２により、その内部で着脱可能に保持されるようになっている。この回転軸１０の下端部１０ｂは、その基端部１０ｃから軸方向外側（軸方向下方）に向かう先端部１０ｄにかけて先細り形状に形成された先細り部１０ｅを備えている（特に、図７参照）。
また、回転軸１０は、その下端部１０ｂの先細り部１０ｅの基端部１０ｃに隣接し且つその半径方向内側に凹んで形成された係止溝１０ｆを備えている（特に、図７参照）。さらに、この回転軸１０の先細り部１０ｅの基端部１０ｃから係止溝１０ｆに向かって遷移する部分は、その半径方向内側に窄まるようにテーパ状に形成された係止溝テーパ部１０ｇを備えている（特に、図７参照）。
さらに、図７に示すように、回転軸１０の直径については、本体部１０ｈ及び下端部１０ｂの先細り部１０ｅの基端部１０ｃにおける直径がｄ１で最大となり、係止溝１０ｆの部分の直径ｄ２が直径ｄ１よりも小さくなっている。
【００１７】
つぎに、回転軸着脱装置１２の各部材の詳細について説明する。
回転軸着脱装置１２のケーシング部材１４は、操作レバー部材１８を収容するものであり、ファン８の上端部８ｂの中央部にビス（図示せず）等で固定されている。
また、ケーシング部材１４の下面１４ａは、回転軸１０の軸方向に対してほぼ垂直な平面を形成している（特に図５参照）。
さらに、ケーシング部材１４の下面１４ａ上には、詳細は後述する操作レバー部材１８が配置されており、操作レバー部材１８の一端部がビス等の固定部材１６によってケーシング部材１４内の下面１４ａに固定されて固定端部１８ａを形成している（特に図４参照）。
【００１８】
つぎに、図２〜図７に示すように、回転軸着脱装置１２の操作レバー部材１８は、その本体１８ｂが金属製の薄板のばね部材を用いてほぼＬ字形状に形成されたものである。
この操作レバー部材１８は、その固定端部１８ａがケーシング部材１４内の下面１４ａ上において回転軸１０に隣接した位置に固定されており、操作レバー部材本体１８ｂが固定端部１８ａからケーシング部材１４内の下面１４ａと同一平面内でほぼ１８０°折り返した折返し部１８ｃを経て、回転軸１０の係止溝１０ｆに係合可能な係合部１８ｄまで延びる付勢アーム部１８ｅを備えている（特に図４及び図６参照）。
【００１９】
付勢アーム部１８ｅは、板ばねとして機能しており、回転軸１０にファン８を取り付け中、付勢アーム部１８ｅの係合部１８ｄが回転軸１０に向かって所定の付勢力Ｆ０で付勢されており（図４参照）、回転軸１０にファン８を完全に取り付けた状態においては、付勢アーム部１８ｅの係合部１８ｄが回転軸１０の係止溝１０ｆに係合して回転軸１０と操作レバー部材１８とが係止されるようになっている（特に図４〜図７参照）。
【００２０】
また、操作レバー部材１８は、操作レバー部材本体１８ｂが付勢アーム部１８ｅの係合部１８ｄから回転軸１０を取り囲むように屈曲し、付勢アーム部１８ｅに対してほぼ直角方向に延びると共にその先端部が回転軸１０に向けて押圧可能な押圧部１８ｆを形成する押圧アーム部１８ｇを備えている。
【００２１】
さらに、付勢アーム部１８ｅの係合部１８ｄから押圧アーム部１８ｇに沿った部分にはフランジ１８ｈが形成されており、このフランジ１８ｈにより、押圧アーム部１８ｇ部分の曲げ剛性やたわみ剛性等の剛性が付勢アーム部１８ｅ部分の剛性よりも高められている。
【００２２】
つぎに、上述した本発明の実施形態によるファン装置における回転軸着脱装置と回転軸とを着脱する方法について説明する。
図８は、本発明の実施形態によるファン装置における回転軸着脱装置と回転軸とを着脱する工程における回転軸着脱装置と回転軸の互いの動作及び位置の関係を模式的に示した状態説明図である。
【００２３】
ここで、図８においては、回転軸着脱装置１２を回転軸１０に完全に取り付けた状態、すなわち、回転軸着脱装置１２の操作レバー部材１８の係合部１８ｄが回転軸の係止溝１０ｆに完全に係合した状態を「状態（Ａ）」とし、この状態（Ａ）の操作レバー部材１８を破線で示す。一方、回転軸着脱装置１２を回転軸１０から完全に取り外し可能な状態、すなわち、回転軸着脱装置１２の操作レバー部材１８の係合部１８ｄと回転軸の係止溝１０ｆとの係合が完全に解除された状態を「状態（Ｂ）」とし、この状態（Ｂ）の操作レバー部材１８を実線で示す。
【００２４】
まず、回転軸着脱装置１２を回転軸１０に取り付ける際、回転軸１０の下端部１０ｂをファン８の回転軸挿入孔８ｄを経てケーシング部材１４の内部に挿入すると、回転軸１０の下端部１０ｂにおける先細り部１０ｅの先端部１０ｄが操作レバー部材１８の係合部１８ｄを通過する。
この際、回転軸１０の先細り部１０ｅの先端部１０ｄ自体は、操作レバー部材１８の付勢アーム部１８ｅの係合部１８ｄに一切接触せずに挿入されるが、回転軸１０の先細り部１０ｅの基端部１０ｃから先端部１０ｄにおける先細り形状を形成する側面の一部が、操作レバー部材１８の係合部１８ｄに片当りするように接触し始める。
【００２５】
また、これと同時に、操作レバー部材１８の付勢アーム部１８ｅの係合部１８ｄは、この片当り接触した回転軸１０の先細り部１０ｅの側面により、操作レバー部材１８の付勢アーム部１８ｅの係合部１８ｄを付勢力Ｆ０と反対方向に押圧力ｆで押圧する（図８参照）。
【００２６】
回転軸１０の先細り部１０ｅの挿入具合が徐々に進行するにつれて、回転軸１０の先細り部１０ｅの側面と操作レバー部材１８の付勢アーム部１８ｅの係合部１８ｄとが片当り接触する接触面が回転軸１０の先細り部１０ｅの基端部１０ｃ側に移動して接触面の面積も徐々に大きくなると、回転軸１０の先細り部１０ｅの側面が付勢アーム部１８ｅの係合部１８ｄを押圧する押圧力ｆも徐々に大きくなる。
そして、この押圧力ｆが操作レバー部材１８の付勢アーム部１８ｅの係合部１８ｄにおける付勢力Ｆ０を上回ると、操作レバー部材１８の付勢アーム部１８ｅの係合部１８ｄが回転軸１０のさらに外側に位置するように付勢アーム部１８ｅが回転軸１０に対して垂直な平面内（ケーシング部材１４の下面１４ａの平面内）で固定端部１８ａ回りにたわみ量δで弾性的にたわむように曲げ変形を受ける。
【００２７】
つぎに、回転軸１０の先細り部１０ｅの挿入具合がさらに進行し、回転軸１０の先細り部１０ｅの基端部１０ｃが操作レバー部材１８の付勢アーム部１８ｅの係合部１８ｄの位置に到達して乗り越えると、回転軸１０の基端部１０ｃが付勢アーム部１８ｅの係合部１８ｄを押圧する押圧力ｆが解放される。
【００２８】
そして、たわみ量δで弾性曲げを受けていた操作レバー部材１８の付勢アーム部１８ｅが付勢力Ｆ０により曲げ戻されると共に、操作レバー部材１８の付勢アーム部１８ｅの係合部１８ｄが回転軸１０の係止溝テーパ部１０ｇのテーパ面に沿って係止溝１０ｆに向かって案内されてスムーズに移動し、回転軸１０の係止溝１０ｆに嵌合する。
【００２９】
この嵌合の際、操作レバー部材１８の付勢アーム部１８ｅの係合部１８ｄが回転軸１０の係止溝１０ｆの溝面に当接することによって当たり音が発生するが、この当たり音が聞こえると、ファン８（回転軸着脱装置１２）と回転軸１０との取り付けが完了となる（図４〜図７、及び、図８の状態（Ａ）参照）。
【００３０】
また、操作レバー部材１８の付勢アーム部１８ｅの係合部１８ｄと回転軸１０の係止溝１０ｆが完全に嵌合した状態では、付勢アーム部１８ｅの付勢力Ｆ０によって、操作レバー部材１８の付勢アーム部１８ｅの係合部１８ｄが回転軸１０の係止溝１０ｆの溝面に接触するように付勢され、回転軸１０の係止溝１０ｆが完全に係止される。そして、回転軸１０はその軸回りに回転可能であるが、軸方向には完全に固定された状態となる（図４〜図７、及び、図８の状態（Ａ）参照）。
【００３１】
一方、ファン８（回転軸着脱装置１２）と回転軸１０との取り付けが完了した状態（図８の状態（Ａ）参照）において、ファン８（回転軸着脱装置１２）を回転軸１０から取り外す際には、操作レバー部材１８の押圧アーム部１８ｇの押圧部１８ｆについて、付勢アーム部１８ｅの付勢力Ｆ０以上の大きさの押圧力Ｐで回転軸１０に向けて押圧すると、この押圧力により、押圧アーム部１８ｇよりも剛性が低い付勢アーム部１８ｅが回転軸１０に対して垂直な平面内（ケーシング部材１４の下面１４ａの平面内）で固定端部１８ａ回りにたわみ量δで弾性的にたわむように曲げ変形を受け、付勢アーム部１８ｅの係合部１８ｄが回転軸１０の係合溝１０ｆから離れて、回転軸１０の係合溝１０ｆとの係合が解除される。
【００３２】
この操作レバー部材１８の付勢アーム部１８ｅの係合部１８ｄと回転軸１０の係合溝１０ｆとの係合が解除される際、回転軸１０の係止溝テーパ部１０ｇにより、操作レバー部材１８の付勢アーム部１８ｅの係合部１８ｄが回転軸１０の係止溝１０ｆから先細り部１０ｅの基端部１０ｃへスムーズに案内移動されて係止が解除される（図８の状態（Ｂ）参照）。
【００３３】
図８の状態（Ｂ）における回転軸１０の下端部１０ｂから徐々に回転軸着脱装置１２を下方に遠ざかるように抜き出すと、ファン８と回転軸１０との取り外しが完了となる。
【００３４】
上述した本発明の実施形態によるファン装置１によれば、ファン８を回転軸１０から取り外す際には、回転軸着脱装置１２における操作レバー部材１８の押圧アーム部１８ｇの押圧部１８ｆを回転軸１０に向けて押圧し、この押圧アーム部１８ｇが付勢アーム部１８ｅの係合部１８ｄを押圧する押圧力Ｐが、付勢アーム部１８ｅの係合部１８ｄが回転軸１０を付勢する付勢力Ｆ０を上回ると、この押圧力Ｐにより、付勢アーム部１８ｅが回転軸１０に対してほぼ垂直な平面内で弾性曲げを受けて、付勢アーム部１８ｅにおいてその固定端部１８ａ回りの弾性たわみδが生じ、付勢アーム部１８ｅの係合部１８ｄが回転軸１の係合溝１０ｆから離れて、回転軸１０の係止溝１０ｆとの係合が解除される。この結果、工具を用いずに簡易にファン８と回転軸１０とを容易に且つ確実に着脱することができる。一方、ファン８を回転軸１０に取り付ける際には、回転軸１０の係止溝１０ｆに操作レバー部材１８の付勢アーム部１８ｅの係合部１８ｄを係合させることにより、回転軸着脱装置１２の操作レバー部材１８と回転軸１０とが互いに係止され、ファン８と回転軸１０とを確実に取り付けることができる。また、ファン装置１の運転中にファン８が回転軸１０から不用意に外れるのを防ぐことができる。
【００３５】
また、本実施形態によるファン装置１によれば、ファン８（回転軸着脱装置１２）を回転軸１０に取り付ける際、回転軸１０の下端部１０ｂにおける先細り部１０ｅの先細り形状により、回転軸１０の下端部１０ｂを操作レバー部材１８の付勢アーム部１８ｅの係合部１８ｄに挿入しやすくなるため、ファン８（回転軸着脱装置１２）と回転軸１０との取り付け作業を容易にすることができる。
【００３６】
さらに、本実施形態によるファン装置１によれば、ファン８（回転軸着脱装置１２）を回転軸１０から取り外す際には、操作レバー部材１８の押圧部１８ｆを所定以上の押圧力Ｐで単純に押圧することにより、操作レバー部材１８の付勢アーム部１８ｅの係合部１８ｄと回転軸１０の係止溝１０ｆとの係止を解除することができるため、この操作レバー部材１８の摺動操作の際、回転軸１０の係止溝テーパ部１０ｇにより、操作レバー部材１８の付勢アーム部１８ｅの係合部１８ｄが回転軸１０の係止溝１０ｆから先細り部１０ｅの基端部１０ｃへスムーズに案内移動されて係止が解除されるため、ファン８（回転軸着脱装置１２）と回転軸１０との取り外し作業を容易にすることができる。
【００３７】
また、本実施形態によるファン装置１によれば、操作レバー部材１８の付勢アーム部１８ｅの係合部１８ｄが回転軸１０の係止溝１０ｆに嵌合する際、操作レバー部材１８の付勢アーム部１８ｅの係合部１８ｄが回転軸１０の係止溝１０ｆの溝面に当接して当たり音が発生するため、この当たり音を確認することにより、ファン８（回転軸着脱装置１２）と回転軸１０との取り付け（係止）が完了したことを確実に把握することができる。
【図面の簡単な説明】
【００３８】
【図１】本発明の実施形態のファン装置が組み込まれたレンジフードを備えたシステムキッチンを示す概略斜視図である。
【図２】本発明の実施形態のファン装置を分解して斜め下方から見た分解斜視図である。
【図３】本発明の実施形態のファン装置における回転軸着脱装置を斜め下方から見た斜視図である。
【図４】本発明の実施形態のファン装置の回転軸着脱装置においてその内部が見えるようにケーシング部材の一部を水平方向に切った状態を下方から見た平面図である。
【図５】本発明の実施形態のファン装置における回転軸着脱装置を示す縦断面図である。
【図６】本発明の実施形態のファン装置における回転軸着脱装置の操作レバー部材と回転軸の部分を拡大して斜め下方から見た拡大斜視図である。
【図７】本発明の実施形態のファン装置における回転軸着脱装置の操作レバー部材と回転軸の部分を拡大して水平方向から見た拡大図である。
【図８】本発明の実施形態によるファン装置における回転軸着脱装置と回転軸とを着脱する工程における回転軸着脱装置と回転軸の互いの動作及び位置の関係を模式的に示した状態説明図である。
【符号の説明】
【００３９】
１  ファン装置
２  システムキッチン
４  加熱調理器
６  レンジフード
８  ファン
１０  回転軸
１２  回転軸着脱装置
１４  ケーシング部材
１６  固定部材
１８  操作レバー部材
【図１】
2010156253.tif 000003
【図２】
2010156253.tif 000004
【図３】
2010156253.tif 000005
【図４】
2010156253.tif 000006
【図５】
2010156253.tif 000007
【図６】
2010156253.tif 000008
【図７】
2010156253.tif 000009
【図８】
2010156253.tif 000010